(57)【要約】  【課題】  ２つのハードディスク５、６を着脱自在に結合させ、稼働中のハードディスクの交換時点を自動制御して、大記録容量のものを用いず、装置の製造コストを安価にしたディジタルムービーを提供する。  【解決手段】  第１及び第２ＵＳＢを介して着脱自在に搭載され、稼動時にデータ記録再生を行う第１及び第２ハードディスクと、ホスト制御部７と、制御用マイコン９と、ＵＳＢ制御回路８とを備え、ＵＳＢ制御回路８は、第１ハードディスク残容量記憶メモリ１２、第２ハードディスク残容量記憶メモリ１３、ＵＳＢ切替回路１４を備え、ホスト制御部７は、第１及び第２ＵＳＢ切替スイッチ２２と各種データ制御部とを備え、ＵＳＢ制御回路８は、稼動中の第１または第２ハードディスクの残容量がほぼゼロになった場合、第２または第１ハードディスク稼動するようにその動作状態を切替る。  【選択図】  図２
2007004929.tif 000002
【特許請求の範囲】
【請求項１】
少なくとも、第１及び第２インターフェースと、前記第１及び第２インターフェースを介して装置筐体に着脱自在に搭載可能に構成され、稼動時にディジタルデータの記録再生を行う第１及び第２ディスク状記録媒体と、ホスト制御部と、前記ホスト制御部の動作を制御する制御用マイコンと、インターフェース制御回路とからなり、前記インターフェース制御回路は、前記第１ディスク状記録媒体の残容量を記憶する第１残容量記憶メモリと、前記第２ディスク状記録媒体の残容量を記憶する第２残容量記憶メモリと、前記第１または前記第２インターフェースの切替回路とを備え、前記ホスト制御部は、前記切替回路の切替出力に応答して前記第１または前記第２インターフェースを活性化するスイッチ回路と、前記切替回路の切替出力に応答して前記第１または前記第２インターフェースの切替に伴うディジタルデータ処理を行うデータ制御部とを備え、前記インターフェース制御回路は、稼動中の前記第１または前記第２ディスク状記録媒体の残容量がほぼゼロになった場合、前記第２または前記第１ディスク状記録媒体が稼動するようにその動作状態を切替ることを特徴とするディジタルデータ記録再生装置。
【請求項２】
前記第１及び第２インターフェースは、それぞれ第１及び第２ＵＳＢインターフェースであり、前記ホスト制御部は、ＵＳＢホストコントローラであり、前記第１及び第２ディスク状記録媒体は、それぞれ第１及び第２ハードディスクであって、前記第１及び第２残容量記憶メモリは、それぞれ前記制御用マイコンから導出された記録ディジタルデータ量に基いて算出した前記第１及び前記第２ハードディスクの論理ブロックアドレス（ＬＢＡ）の残量を記憶するものであることを特徴とする請求項１に記載のディジタルデータ記録再生装置。
【請求項３】
前記第１及び第２インターフェースは、それぞれ第１及び第２ＵＳＢインターフェースであり、前記ホスト制御部は、ＵＳＢホストコントローラであり、前記第１及び第２ディスク状記録媒体は、それぞれ第１及び第２ハードディスクであって、前記第１及び第２残容量記憶メモリは、それぞれ前記制御用マイコンが対応する第１及び第２ハードディスクから読み取ったファイル管理情報に基いて算出した前記第１及び前記第２ハードディスクの論理ブロックアドレス（ＬＢＡ）の残量を記憶するものであることを特徴とする請求項１に記載のディジタルデータ記録再生装置。
【請求項４】
前記第１及び第２ハードディスクは、ＵＳＢコネクタ部が少なくとも９０度以上の範囲を回動できるように構成され、前記第１及び第２インターフェースに前記ＵＳＢコネクタ部を接続した際に、前記第１及び／または第２ハードディスクが前記装置筐体に対して前記ＵＳＢコネクタ部とともに９０度以上の範囲を回動できるものであることを特徴とする請求項２もしくは３に記載のディジタルデータ記録再生装置。
【請求項５】
前記第１及び第２インターフェースに前記第１及び／または第２ハードディスクを接続する際に、前記ＵＳＢコネクタ部とともにＵＳＢケーブルを通して接続できる構成になっていることを特徴とする請求項４に記載のディジタルデータ記録再生装置。
【請求項６】
前記第１及び第２インターフェースは、ＩＥＥＥ１３９４であることを特徴とする請求項１に記載のディジタルデータ記録再生装置。
【請求項７】
前記第１及び第２インターフェースは、コンパクトフラッシュ（登録商標）であることを特徴とする請求項１に記載のディジタルデータ記録再生装置。
【発明の詳細な説明】
【技術分野】
【０００１】
この発明は、ＵＳＢ、ＩＥＥＥ１３９４、コンパクトフラッシュ（登録商標）等の高速第１及び第２インターフェースを備え、これらのインターフェースを介してハードディスク等のディスク状記憶媒体を着脱自在に装置筐体に搭載できる構成にしたディジタルデータ記録再生装置に関する。
【背景技術】
【０００２】
近年、民生用のムービーにおいては、ディジタル化されたディジタルムービーが主流になっており、テープを使用するＤＶＣ（ディジタルビデオカセット）レコーダーも、その普及の度合いが著しい。
【０００３】
ところで、この種のディジタルムービーは、以前普及していた８ｍｍビデオカセットレコーダーと同じように、ユーザーにとって録画テープを交換するタイミングを得ることが難しい。一般に、スポーツの試合等、撮像時間がほぼ決まっている場合には、その撮像時間に見合った長さの録画テープを用いればよいが、入学式、運動会、各種の発表会等のように、撮りたいシーンの持続時間が厳密に決まっていないような場合には、撮りたいシーンが続き、１本の録画テープでは足らずに次の録画テープに交換する際に、その交換時点に重要なシーンが到来したとすると、その重要なシーンを撮り損なってしまうことがある。
【０００４】
このような不具合の発生を回避するために、この種の記録再生装置においては種々の回避手段が提案されている。その第１は、それぞれ記録媒体を搭載した複数のデッキ部を有する記録再生装置を用いるもので、まず、１つのデッキ部を用いてそこに装着している記録媒体（先の記録媒体）への記録を行い、その記録媒体の記録可能残量が所定値以下になったとき、他のデッキ部を用いてそこに装着している記録媒体（後の記録媒体）への記録を行うもので、この際に先の記録媒体への記録内容と後の記録媒体への記録内容とを一部重複させて記録内容に欠落部分がないようにしているもので、この例としては、特開平１１−３３９４４７号公報に開示された記録再生装置がある。
【０００５】
また、その第２は、先の記録媒体と後の記録媒体との間の記録内容の重複を避けるようにしたもので、第１及び第２記録再生装置からなり、第１記録再生装置は、第１インターフェイス手段と、第１記録媒体にデータを記録する第１記録手段と、第１記録媒体の記録可能残量が所定値以下になると第１及び第２コマンドを順次出力する第１制御手段とを備え、第２記録再生装置は、第２インターフェイス手段と、第２記録媒体にデータを記録する第２記録手段と、撮像データを一時的に記録する第２バッファ手段と、第１コマンドの受信時に第２バッファ手段への撮像データの記録を開始し、第２コマンドの受信時に第２バッファ手段の記録データを第２記録媒体に転送記録する第２制御手段とを備え、連続した撮像データの記録時であっても、撮像データの重複記録が行われず、第１及び第２記録媒体を有効利用できるようにしているもので、この例としては、特開２００２−２９８５０１号公報に開示のデータ記録再生システムがある。
【特許文献１】特開平１１−３３９４４７号公報
【特許文献２】特開２００２−２９８５０１号公報
【発明の開示】
【発明が解決しようとする課題】
【０００６】
前記特開平１１−３３９４４７号公報に開示の手段は、先の記録媒体と後の記録媒体とを交換するタイミングを得ることが難しく、そのタイミングが速すぎると、先の記録媒体と後の記録媒体とに記録される記録内容のダブリが多くなって、記録媒体の使用効率が低下したり、本来、１つの記録媒体に記録される記録内容が２つの記録媒体に分かれて記録されてしまったりする等の不具合が生じる。
【０００７】
また、特開２００２−２９８５０１号公報に開示の手段は、先の記録媒体と後の記録媒体の他にバッファメモリが必要になり、装置全体に搭載される２つの記録媒体及びバッファメモリを含めた総記録容量がかなり大きなものになるので、その分、装置のコストが上昇し、民生用機器として適切なものであるということができず、しかも、コストの上昇を避けるためにバッファメモリの記録容量を小さくした場合、そのように小さな記録容量を持ったバッファメモリでは記録媒体の交換に要する時間をより短くする必要があり、スムースな記録媒体の交換を行うことが難しくなることがある。
【０００８】
本発明は、このような技術的背景に鑑みてなされたもので、その目的は、２つのインターフェースにそれぞれディスク状記録媒体を着脱自在に結合させ、これらのディスク状記録媒体の交換時点を自動制御することにより、記録媒体に大記録容量のものが必要でなく、装置の製造コストが安価なディジタルデータ記録再生装置を提供することにある。
【課題を解決するための手段】
【０００９】
前記目的を達成するために、本発明によるディジタルデータ記録再生装置は、少なくとも、第１及び第２インターフェースと、第１及び第２インターフェースを介して装置筐体に着脱自在に搭載可能に構成され、稼動時にディジタルデータの記録再生を行う第１及び第２ディスク状記録媒体と、ホスト制御部と、ホスト制御部の動作を制御する制御用マイコンと、インターフェース制御回路とからなり、インターフェース制御回路は、第１ディスク状記録媒体の残容量を記憶する第１残容量記憶メモリと、第２ディスク状記録媒体の残容量を記憶する第２残容量記憶メモリと、第１または第２インターフェースの切替回路とを備え、ホスト制御部は、切替回路の切替出力に応答して第１または第２インターフェースを活性化するスイッチ回路と、切替回路の切替出力に応答して第１または第２インターフェースの切替に伴うディジタルデータ処理を行うデータ制御部とを備え、インターフェース制御回路は、稼動中の第１または第２ディスク状記録媒体の残容量がほぼゼロになった場合、第２または第１ディスク状記録媒体が稼動するようにその動作状態を切替る手段を具備する。
【００１０】
前記手段において、第１及び第２インターフェースは、それぞれ第１及び第２ＵＳＢインターフェースであり、ホスト制御部は、ＵＳＢホストコントローラであり、第１及び第２ディスク状記録媒体は、それぞれ第１及び第２ハードディスクであって、第１及び第２残容量記憶メモリは、それぞれ制御用マイコンから導出された記録ディジタルデータ量に基いて算出した第１及び第２ハードディスクの論理ブロックアドレス（ＬＢＡ）の残量を記憶するものである第１の構成手段を具備している。
【００１１】
また、前記手段において、第１及び第２インターフェースは、それぞれ第１及び第２ＵＳＢインターフェースであり、ホスト制御部は、ＵＳＢホストコントローラであり、第１及び第２ディスク状記録媒体は、それぞれ第１及び第２ハードディスクであって、第１及び第２残容量記憶メモリは、それぞれ制御用マイコンが対応する第１及び第２ハードディスクから読み取ったファイル管理情報に基いて算出した第１及び前記第２ハードディスクの論理ブロックアドレス（ＬＢＡ）の残量を記憶するものである第２の構成手段を具備している。
【００１２】
この場合、前記第１及び第２構成手段において、第１及び第２ハードディスクは、ＵＳＢコネクタ部が少なくとも９０度以上の範囲を回動できるように構成され、第１及び第２インターフェースにＵＳＢコネクタ部を接続した際に、第１及び／または第２ハードディスクが装置筐体に対してＵＳＢコネクタ部とともに９０度以上の範囲を回動できるものである第３の構成手段を具備する。
【００１３】
また、前記第３の構成手段において、第１及び第２インターフェースに第１及び／または第２ハードディスクを接続する際に、ＵＳＢコネクタ部とともにＵＳＢケーブルを通して接続できる構成を有するものである。
【００１４】
この他に、前記手段において、第１及び第２インターフェースは、ＩＥＥＥ１３９４であってもよく、コンパクトフラッシュ（登録商標）タイプのものであってもよい。
【発明の効果】
【００１５】
以上のように、請求項１に記載のディジタルデータ記録再生装置によれば、ホットスワップが可能な第１及び第２インターフェースを並置させ、第１及び第２インターフェースにそれぞれ第１及び第２ディスク状記録媒体を着脱自在に結合させ、稼動させる側の第１及び第２ディスク状記録媒体の交換をそれぞれのディスク状記録媒体の残容量記憶メモリの記憶内容に基いて自動制御するようにしているので、ユーザーはディスク状記録媒体とインターフェースとの着脱を行うだけで、ディスク状記録媒体の利用効率が最も高い時点に自動的に稼動中のディスク状記録媒体の交換を行うことができ、記録媒体の交換時に必要とする画像・音声データを記録し損なうという事態の発生を未然に防ぐことができる。
【００１６】
また、請求項２に記載のディジタルデータ記録再生装置によれば、第１及び第２インターフェースがそれぞれ第１及び第２ＵＳＢインターフェースであり、第１及び第２ディスク状記録媒体がそれぞれ第１及び第２ハードディスクであり、制御用マイコンから導出された記録ディジタルデータ量に基いて算出した第１及び第２ハードディスクの論理ブロックアドレス（ＬＢＡ）の残量を対応する残容量記憶メモリにそれぞれ記憶し、残容量記憶メモリの記憶内容がハードディスクを交換すべき時期になったとき、第１及び第２ＵＳＢインターフェースを通してハードディスクの交換を行っているので、ハードディスクの利用効率が最も高い時点に自動的に稼動中のハードディスクの交換を行うことができ、ハードディスクの交換時に必要とする画像・音声データを記録し損なうという事態の発生を未然に防ぐことができる。
【００１７】
さらに、請求項３に記載のディジタルデータ記録再生装置によれば、第１及び第２インターフェースがそれぞれ第１及び第２ＵＳＢインターフェースであり、第１及び第２ディスク状記録媒体がそれぞれ第１及び第２ハードディスクであり、制御用マイコンが対応する第１及び第２ハードディスクから読み取ったファイル管理情報に基いて算出した第１及び第２ハードディスクの論理ブロックアドレス（ＬＢＡ）の残量を対応する残容量記憶メモリにそれぞれ記憶し、残容量記憶メモリの記憶内容がハードディスクを交換すべき時期になったとき、第１及び第２ＵＳＢインターフェースを通してハードディスクの交換を行っているので、ハードディスクの利用効率が最も高い時点に自動的に稼動中のハードディスクの交換を行うことができ、ハードディスクの交換時に必要とする画像・音声データを記録し損なうという事態の発生を未然に防ぐことができる。
【００１８】
また、請求項４に記載のディジタルデータ記録再生装置によれば、第１及び第２ハードディスクはＵＳＢコネクタ部が少なくとも９０度以上の範囲を回動できるように構成され、第１及び第２インターフェースにＵＳＢコネクタ部を接続した際に、第１及び／または第２ハードディスクが装置筐体に対してＵＳＢコネクタ部とともに９０度以上の範囲を回動できる構成されているので、装置筐体に非稼動中のハードディスクの搭載スペースを確保しておく必要がなく、その分、ディジタルデータ記録再生装置を小型軽量化することが可能になる。
【００１９】
さらに、請求項５に記載のディジタルデータ記録再生装置によれば、第１及び第２インターフェースに第１及び／または第２ハードディスクを接続する際に、ＵＳＢコネクタ部とともにＵＳＢケーブルを通して接続できる構成にすれば、未使用のハードディスクを対応するインターフェースに接続する際に、当該ハードディスクをそのＵＳＢコネクタ部をインターフェースに接続することに比べて、ＵＳＢケーブルを通してインターフェースに接続することの方が接続し易いので、ハードディスクのインターフェースへの接続タイミングを逸することが少なくなり、しかも、ハードディスク接続時の手ぶれの発生が少なくなる。
【発明を実施するための最良の形態】
【００２０】
以下、本発明の実施の形態を図面を参照して説明する。
【００２１】
図１（ａ）、（ｂ）、（ｃ）は、本発明によるディジタルデータ記録再生装置の実施の形態に係るもので、ディジタルデータ記録再生装置がディジタルムービーであって、その外観部分の要部構成を示す外観図である。そして、（ａ）は全体構成を示す斜視図であり、（ｂ）は２つのＵＳＢコネクタの配置部分を含む横方向側面図であり、（ｃ）はハードディスクの横方向側面図である。
【００２２】
図１に示されるように、このディジタルムービーは、筐体１と、筐体１の前面突出部内に配置された撮像部１ａと、筐体１の後面上部に配置されたファインダ部１ｂと、筐体１の側面凹部に並んで配置された第１ＵＳＢインターフェイス（第１ＵＳＢ）２及び第２ＵＳＢインターフェイス（第２ＵＳＢ）３と、それぞれ側面側にＵＳＢコネクタ４を備え、ＵＳＢコネクタ４を通して第１ＵＳＢインターフェイス２及び第２ＵＳＢインターフェイス３に接続され、筐体１の側面凹部に搭載可能な第１ハードディスク（第１ＨＤＤ）５及び第２ハードディスク（第２ＨＤＤ）６とからなっている。
【００２３】
前記構成によるこのディジタルムービーは、概略、次のように動作する。
【００２４】
いま、このディジタルムービーに第１ハードディスク５だけをＵＳＢコネクタ４と第１ＵＳＢインターフェイス２とを接続して搭載状態にし、ディジタルムービーの撮像部１ａを被写体に向けて撮像を開始すると、撮像された画像・音声データが第１ハードディスク５に転送され、第１ハードディスク５内に順次記録される。このような記録が行われている際に、第１ハードディスク５の記録残容量が予め決めた一定量よりも少なくなると、ファインダ部１ｂの内部に第２ハードディスク６を接続することをユーザーに促す表示が行われる。
【００２５】
この表示は、第１ハードディスク５の記録残容量が残り１０分程度より少なくなる前に行われるもので、第１ハードディスク５から第２ハードディスク６へ切替を行うために十分な時間の余裕があれば、かかる表示が行われた後、撮像すべきシーンが１段落した時点において、第１ハードディスク５をそのままにして第２ハードディスク６を接続搭載することが可能になる。この場合、第１及び第２ＵＳＢインターフェース２、３は、ホットスワップが可能なインターフェース、すなわち、電源を入れたままでＵＳＢコネクタ４の抜き差しができるインターフェースであるため、第２ＵＳＢインターフェース３に第２ハードディスク６のＵＳＢコネクタ４を接続するだけで、第２ハードディスク６を搭載できることになる。
【００２６】
この後、第１ハードディスク５と第２ハードディスク６とを搭載した状態で第１ハードディスク５への画像・音声データの記録を続けると、第１ハードディスク５の記録可能容量がほぼ０（一般的なデータ圧縮・伸張回路であるＭＰＥＧ２を使用している場合、ＧＯＰ単位でデータ記録が行われるため、ＧＯＰの切れ目が到来すると、第１ハードディスク５の最後の１秒以内のデータの記録が行われず、その間のデータは第２ハードディスク６に記録される可能性があるため、完全に０にはならない。）になるまで、画像・音声データが記録された後で、自動的に第１ハードディスク５から第２ハードディスク６への切替が行われ、以後、第２ハードディスク６に画像・音声データが記録される。このとき、第２ハードディスク６への画像・音声データの記録が１段落した時点において、第１ハードディスク５を筐体１から抜くようにすればよい。この後、第２ハードディスク６の記録可能容量がほぼ０になった場合においても、前の場合と同様に、第１ＵＳＢインターフェース２に第３ハードディスク（図示なし）のＵＳＢコネクタを接続させれば、撮りたい画像・音声データの記録を第２ハードディスク６に続いて第３ハードディスクに記録させることができる。以下、同様にして、撮りたい画像・音声データが長時間にわたって切れ目なく続いていたとしても、ディジタルムービーの電源が確保され、かつ、未記録の予備のハードディスクがある限り、画像・音声データを長時間にわたって複数のハードディスクに順次切れ目なく記録することができる。
【００２７】
次に、図２は、図１に図示されたディジタルムービーに使用されるハードディスク交換回路の一例であって、その要部構成を示すブロック図である。
【００２８】
図２に示されるように、このハードディスク交換回路は、ホスト制御部（ＵＳＢホスト制御部）７と、インターフェース制御回路（ＵＳＢ制御回路）８と、制御用マイコン９と、ＳＤＲＡＭ１０とからなっている。
【００２９】
この場合、ホスト制御部７は、残ＬＢＡ量計算回路１１と、第１ハードディスク（第１ＨＤＤ）残容量記憶メモリ１２と、第２ハードディスク（第２ＨＤＤ）残容量記憶メモリ１３と、インターフェース（ＵＳＢ）切替回路１４とを備える。インターフェース制御回路８は、第１インターフェース（第１ＵＳＢ）トランシーバ１５と、第２インターフェース（第２ＵＳＢ）トランシーバ１６と、シリアルインターフェース１７と、割込み／エンドポイントコントローラ１８と、フィフォ（ＦＩＦＯ）コントローラ１９と、フィフォ（ＦＩＦＯ）メモリ２０と、ＣＰＵ／バスインターフェース２１とを備える。この他に、シリアルインターフェース１７は、スイッチ２２と、シリアル−パラレル変換部２３と、制御回路２４とを備えている。そして、これらの構成要素７乃至１０及び１１乃至２３は、図２に図示されるように相互接続されている。
【００３０】
また、第１インターフェーストランシーバ１５は、電源供給バスライン（Ｖｂｕｓ１）及びデータ入出力ライン（Ｄ１＋、Ｄ１−）を通して図示されていない第１ＵＳＢインターフェース２に接続され、さらに第１ＵＳＢインターフェース２に図示されていない第１ハードディスク５が接続される。同様に、第２インターフェーストランシーバ１６は、電源供給バスライン（Ｖｂｕｓ２）及びデータ入出力ライン（Ｄ２＋、Ｄ２−）を通して図示されていない第２ＵＳＢインターフェース３に接続され、さらに第２ＵＳＢインターフェース３に図示されていない第２ハードディスク６が接続される。
【００３１】
ホスト制御部７において、割込み／エンドポイントコントローラ１８は、第１インターフェーストランシーバ１５からの割込み情報ＩＮＴ１、第２インターフェーストランシーバ１６からの割込み情報ＩＮＴ２、フィフォコントローラ１９からの割込み情報ＩＮＴ５、インターフェース切替回路１４からの割込み情報ＩＮＴ３、ＩＮＴ４をＣＰＵ／バスインターフェース２１に送り、エンドポイントの状態を管理する。フィフォコントローラ１９は、割込み／エンドポイントコントローラ１８の管理下においてシリアルインターフェース１７側のデータとＣＰＵ／バスインターフェース２１側のデータの読出し書込みを制御する。フィフォメモリ２０は、シリアルインターフェース１７側のクロックとＣＰＵ／バスインターフェース２１側のクロックの双方のクロックによってデータの読出し書込みを行う双方向のＳＲＡＭである。ＣＰＵ／バスインターフェース２１は、ＵＳＢの規格に示されているモード設定、コマンド設定、ステータス読出し等のレジスタと制御用マイコン９のＣＰＵとＳＤＲＡＭ１０との間で、データや各種制御信号をインターフェースする。
【００３２】
インターフェース制御回路８は、第１ＵＳＢインターフェース２を通して接続されている第１ハードディスク５の記録可能領域が一定量より少なくなると、自動的に第２ＵＳＢインターフェース３を通して接続されている第２ハードディスク６に記録するように、ハードディスクの切替えを行う。
【００３３】
なお、インターフェース制御回路８において、残ＬＢＡ容量計算回路１１は、制御用マイコン９からＣＰＵ／バスインターフェース２１内のレジスタに直接書き込まれる書込みＬＢＡ数または変換されて出力されるＬＢＡ数を受領し、受領したＬＢＡ数に基いて計算した残ＬＢＡ容量を第１ハードディスク残容量記憶メモリ１２または第２ハードディスク残容量記憶メモリ１３に書込む。なお、ＬＢＡの意味については、後述する。
【００３４】
また、インターフェース切替回路１４は、第１ハードディスク残容量記憶メモリ１２または第２ハードディスク残容量記憶メモリ１３に順次書き込まれる各残容量値を常時監視し、それらの残容量値が一定値以下になった場合、データの記録を第１ハードディスク５または第２ハードディスク６側から第２ハードディスク６または第１ハードディスク５側に切替えるように、第１ＵＳＢインターフェース２と第２ＵＳＢインターフェース３とを切替える。
【００３５】
インターフェース切替回路１４の切替情報Ｖｃｔ１は、シリアルインターフェース１７のスイッチ２２に供給され、第１インターフェーストランシーバ１５と第２インターフェーストランシーバ１６とを選択する。シリアル−パラレル変換部２３は、フィフォコントローラ１９から供給されるパラレル信号をシリアル信号に変換する。、制御回路２４は、ＵＳＢ機器のアドレス（後述する）や同期を検出したり、ＮＲＺＩ変復調、ＣＲＣ作成・検出等の制御を行う。
【００３６】
制御用マイコン９は、ホスト制御部７を制御するものであり、ＳＤＲＡＭ１０は、画像データ等の大量のデータを一時的に記憶するものである。
【００３７】
ここで、前述したＬＢＡとＵＳＢ転送の初期設定について説明する。
【００３８】
まず、ＬＢＡ（Ｌｏｇｉｃａｌ  Ｂｌｏｃｋ  Ａｄｄｒｅｓｓ）は、ハードディスクの最少アクセス単位が１セクタ（５１２バイト）であり、ハードディスクのディスク先頭セクタから連番で割り振っているアドレスのことである。例えば、ファット（ＦＡＴ）３２においては、２８ビット、すなわち２の２８乗である２６８，４３５，４５５セクタ（容量でいうと約１３７ＧＢ）までのアドレスを直接指定できる。
【００３９】
従って、例えば、第１ハードディスク５、第２ハードディスク６の記録容量を１３７ＧＢ、すなわち、１３７ＧＢのハードディスクを記録媒体とするディジタルムービーの場合、記録開始時点には残ＬＢＡ数が２６８，４３５，４５５個あるが、ＬＢＡ（５１２バイト）単位で記録して行くにしたがって順次減少し、最終的には残ＬＢＡ数が０個になる。
【００４０】
この発明は、このような点に着目してなされたもので、ハードディスクの残ＬＢＡ数を測定できるような構成にしている。
【００４１】
次に、ＵＳＢ転送の初期設定としては、データの転送方式として動画等の高速で大量のディジタルデータを処理する場合に、最大４８０Ｍｂｐｓの転送速度を確保できるＵＳＢ２．０（ハードディスクは、少なくとも５１２Ｍｂｐｓ以上の転送速度を確保可能である）で、データの再送を行わないアイソクロノス転送を用い、データ量の管理がし易いように、１パケット当たりのデータ転送量をＬＢＡと同じ５１２バイトとしている。
【００４２】
次に、図１及び図２を参照して、第１ＵＳＢインターフェイス２と第２ＵＳＢインターフェイス３を備えたデジタルムービーにおいて、第１ＵＳＢインターフェイス２に接続された第１ハードディスク５の記録可能領域が一定量より少なくなったとき、自動的に第２ＵＳＢインターフェイス３に接続された第２ハードディスク６に記録するように切替る具体的手段について説明する。
【００４３】
この手段は、次に挙げるステップＳ１乃至ステップＳ１４の制御を順次実行することである。すなわち、
ステップＳ１：ユーザーがデジタルムービーの第１ＵＳＢインターフェイス２に第１ハードディスク５を接続すると、電源供給バスライン（Ｖｂｕｓ１）に電流が流れ、第１ＵＳＢトランシーバ１５から割込み／エンドポイントコントローラ１８にロー（Ｌ）からハイ（Ｈ）に変化する割込み情報ＩＮＴ１が伝達される。この割込み情報ＩＮＴ１は、ＣＰＵ／バスインターフェース２１を経由して最終的に制御用マイコン９に伝送される。
【００４４】
ステップＳ２：制御用マイコン９は、エニュメレーション（Ｅｎｕｍｅｒａｔｉｏｎ）というＵＳＢホスト制御部７が接続されているＵＳＢデバイスを認識し、アドレス（ＵＳＢインターフェイスは最大１２７台の機器を制御でき、それぞれの機器にアドレスが振られる）を指定し、機器の詳細な情報（ディスクリプタと呼ぶ）を収集する一連の動作を実行する。
【００４５】
なお、機器の詳細な情報（ディスクリプタ）は、ＵＳＢインターフェイスのバージョン（１．０または１．１または２．０）、速度（１．５または１２または４８０ＭＢｐｓ）、ベンダＩＤ、プロダクトＩＤ等の情報によって構成される。アドレスは最初０で、制御用マイコン９がこの情報を収集し終わったら、別のアドレス（例えば、アドレス１）に書換えられる。
【００４６】
ステップＳ３：ここで、ユーザーがデジタルムービーの録画開始ボタン（図示なし）を操作すると、制御用マイコン９が第１ハードディスク５の記録ＬＢＡの初期値として“００００００ｈ”（ｈは１６進数を表す）をＣＰＵ／バスインターフェイス２１内のレジスタ（値が保持可能なフリップフロップ）に書込む。
【００４７】
ステップＳ４：このとき、残ＬＢＡ量計算回路１１は、第１ハードディスク残容量記憶メモリ１２に“ＦＦＦＦＦＦｈ”を書込む。
【００４８】
ステップＳ５：制御用マイコン９の最少書込み単位は、５１２バイトではないので、仮に制御用マイコン９が１回の書込み可能なデータ量を６５５３６（２の１６乗）ｋＢとすると、１回に書込み可能なＬＢＡ数は１Ｆ４００ｈ（１２８０００）となり、１回ディジタルデータの書込みが終了する毎に、残ＬＢＡ量計算回路１１を経て第１ハードディスク残容量記憶メモリ１２の残容量値を１Ｆ４００ｈずつ減らして行く。
【００４９】
ステップＳ６：第１ハードディスク残容量記憶メモリ１２の残容量値が３７５ＭＢ（５Ｍｂｐｓの記録レートで約１０分）程度に低下したら、インターフェイス切替回路１４は、割込み／エンドポイントコントローラ１８に割込み情報ＩＮＴ３を出力し、ＣＰＵ／バスインターフェイス２１を経て最終的に制御用マイコン９に割込み指令が伝送される。制御用マイコン９は、割込み指令を受けると、ディジタルムービーの画像モニタに稼動中のハードディスクの交換を促す表示を行う。
【００５０】
ステップＳ７：この表示は第１ハードディスク残容量記憶メモリ１２の残容量値が０になるまで続けられる。このときの表示内容は、例えば、３３７．５ＭＢで“残９分”、３００ＭＢで“残８分”・・・等である。
【００５１】
ステップＳ８：ユーザーが第１ハードディスク残容量記憶メモリ１２の残容量値０になる前に、デジタルムービーの第２ＵＳＢインターフェイス３に第２ハードディスク６を接続すると、電源供給バスライン（Ｖｂｕｓ２）に電流が流れ、第２インターフェイストランシーバ１６を経て割込み／エンドポイントコントローラ１８にロー（Ｌ）からハイ（Ｈ）に変化する割込み指令ＩＮＴ２が供給される。
【００５２】
ステップＳ９：制御用マイコン９は、前のステップＳ２と同様に、エニュメレーションを行い、まず、アドレス０（新規に接続されたＵＳＢデバイスは最初必ずアドレス０となる）にアクセスし、第２ハードディスク６の情報を収集する。かかる情報の収集が終了したら、第２ハードディスク６のＵＳＢアドレスを第１ハードディスク１と別のアドレス（例えばアドレス２）に書替える。
【００５３】
ステップＳ１０：第１ハードディスク残容量記憶メモリ１２の残容量値がＧＯＰの最少単位以下となると、インターフェイス切替回路１４により、画像・音声データの記録が第２ＵＳＢインターフェイス３に接続される第２ハードディスク６に切替わるように、シリアルインターフェイス１７に供給される切替信号（Ｖｃｔｌ）をロー（Ｌ）からハイ（Ｈ）にする。
【００５４】
ステップＳ１１：第２ハードディスク６においても、第１ハードディスク５の場合と同様に、画像・音声データを記録して行く。まず、制御用マイコン９が第２ハードディスク６の記録ＬＢＡの初期値として“００００００ｈ”（ｈは１６進数を表す）をＣＰＵ／バスインターフェイス２１内のレジスタ（値が保持可能なフリップフロップ）に書込む。
【００５５】
ステップＳ１２：このとき、残ＬＢＡ量計算回路１１は、第２ハードディスク残容量記憶メモリ１３に“ＦＦＦＦＦＦｈ”を書込む。
【００５６】
ステップＳ１３：この場合も、制御用マイコン９の最少書き込み単位は、５１２バイトでないので、仮にマイコンが１回の書込み可能なデータ量を６５５３６ｋＢ（２の１６乗）とすると、１回に書込み可能なＬＢＡ数は１Ｆ４００ｈ（１２８０００）となり、１回書込みが終了する毎に残ＬＢＡ量計算回路１１経由で第２ハードディスク残容量記憶メモリ１３の残容量値を１Ｆ４００ｈずつ減らして行く。
【００５７】
ステップＳ１４：このとき、必要であれば第１ハードディスク５をＵＳＢインターフェイス２から抜き、その後、前記ステップＳ１乃至ステップＳ１３の制御を繰返し実行する。すなわち、
ステップＳ１４ａ：第２ハードディスク６の残記録領域が３７５ＭＢ（５Ｍｂｐｓの記録レートで約１０分）程度になったら、インターフェイス切替回路４は、割込み／エンドポイントコントローラ１８に割込み情報ＩＮＴ４を出力し、ＣＰＵ／バスインターフェイス２１経由で最終的には制御用マイコン９に割込み指令を伝達する。制御用マイコン９は、割込み指令を受けると、ディジタルムービーの画像モ二タに稼動中のハードディスクの交換を促す表示を行う。
【００５８】
ステップＳ１４ｂ：この表示は、第２ハードディスク残容量記憶メモリ１３の残容量値が０になるまで続けられる。この場合の表示例も前述の場合と同じで、３３７．５ＭＢで“残９分”、３００ＭＢで“残８分”・・・等が表示される。
【００５９】
ステップＳ１４ｃ：ユーザーは第２ハードディスク残容量記憶メモリ１３の残容量値が０になる前にデジタルムービーの第１ＵＳＢインターフェイス２に第３ハードディスク（新たな未記録ハードディスク）を接続すると、電源供給バスライン（Ｖｂｕｓ１）に電流が流れ、第１インターフェイストランシーバ１５を経て割込み／エンドポイントコントローラ１８にロー（Ｌ）からハイ（Ｈ）に変化する割込み指令ＩＮＴ１が供給される。この割込み指令ＩＮＴ１は、ＣＰＵ／バスインターフェース１８を経由して最終的に制御用マイコン９に伝達される。そして、この後で行われる第３ハードディスクの制御は、基本的に前述の第１ハードディスク５の制御と同じであるので、これ以降の制御はステップＳ２乃至ステップＳ８を参照されたい。
【００６０】
以上、上述したような制御を行えば、ディジタルムービーに搭載されたハードディスク交換のタイミングを逸して、貴重な画像・音声データを撮り損なう機会を大幅に少なくすることができる。また、ディジタルムービーの電源が確保されていれば、予備の未記録ハードディスクがある限り、画像・音声データを長時間にわたって切れ目なく記録することができる。
【００６１】
次いで、図３は、図１に図示されたディジタルムービーに使用されるハードディスク交換回路の他の例であって、その要部構成を示すブロック図である。
【００６２】
図３に図示の例は、図２に図示の例のように、ＬＢＡの情報を制御用マイコン９からの記録データ量を用いて計算するのでなく、ハードディスクの管理情報記録領域（ファットやディレクトリエントリ）からの情報を読み取り、ハードディスクの記録可能領域を判定するようにしているものである。
【００６３】
図３に図示されたブロック図は、図２に図示されたブロック図と全く同じであるので、図３に図示された構成要素において、図２に図示された構成要素と同じ構成要素については同じ符号を付している。
【００６４】
ただし、図３に図示されたブロック図においては、図２に図示されたブロック図のように、残ＬＢＡ情報を得る際に、制御用マイコン９からの記録データ量の書込みを行っているものではなく、第１ハードディスク５または第２ハードディスク６の管理情報を制御用マイコン９が読み取り、読み取った情報をＣＰＵ／バスインターフェース２１内のレジスタに蓄積記憶させ、残ＬＢＡ計算回路１１は、蓄積記憶されたＬＢＡ値を用いて第１ハードディスク残容量記憶メモリ１２または第２ハードディスク残容量記憶メモリ１３に対応するハードディスクの残ＬＢＡ量を記憶させるようにしているもので、その際に、上述のようなステップＳ１乃至ステップＳ１４に示すような制御と同じ制御を行えば、同じようなハードディスク交換プロセスが実行される。
【００６５】
図３に図示されたハードディスク交換回路の他の例においても、ディジタルムービーに搭載されたハードディスク交換のタイミングを逸して、貴重な画像・音声データを撮り損なう機会を大幅に少なくすることができる。また、ディジタルムービーの電源が確保されていれば、予備の未記録ハードディスクがある限り、画像・音声データを長時間にわたって切れ目なく記録することができる。
【００６６】
なお、図３に図示されたハードディスク交換回路は、ハードディスクから残ＬＢＡ量のデータを取得しているため、他のディジタルムービーによって途中まで記録したハードディスクも未記録のハードディスクと同様に使用することができる（図２に図示されたハードディスク交換回路は、同じディジタルムービーで記録したハードディスクしか使用できない）という利点を有する。
【００６７】
さらに、図４（ａ）乃至（ｄ）は、本発明によるディジタルデータ記録再生装置の他の実施の形態に係わるもので、ディジタルデータ記録再生装置がディジタルムービーであって、その外観部分の要部構成を示す斜視図であり、ハードディスクの搭載形態を選択することができるものである。
【００６８】
図４（ａ）乃至（ｄ）を用いてこの実施の形態に係わるディジタルムービーへのハードディスクの搭載形態について説明する。
【００６９】
図４に用いられる第１及び第２ハードディスク５、６は、装着されているＵＳＢコネクタ４が第１及び第２ハードディスク５、６に対して少なくとも９０度の範囲内を回転可能なように構成されており、また、ディジタルムービーの側面凹部に配置されている第１及び第２ＵＳＢインターフェイス２、３は、上下方向に並置されており、第１及び第２ハードディスク５、６が搭載されるディジタルムービーの側面凹部は、１個分のハードディスクが搭載できる程度の容積を有しているものである。
【００７０】
始めに、図４（ａ）に図示されるように、第１ハードディスク５だけをディジタルムービーの側面凹部に搭載しているときは、第１ハードディスク５がディジタルムービーの側面凹部全体を占有するように側面凹部に搭載される。このような状態にあったとき、図４（ｂ）に図示されるように、第１ハードディスク５の回転可能なＵＳＢコネクタ４を９０度近く回転させれば、第１ハードディスク５をディジタルムービーの側面凹部に直立させた状態で搭載させることが可能になる。このとき、下側の第２ＵＳＢインターフェイス３は露出した状態になる。
【００７１】
このような状態のときに、図４（ｃ）に図示されるように、第１ハードディスク５と同じように、第２ハードディスク６のＵＳＢコネクタ４を９０度近く回転させた状態で第２ＵＳＢインターフェイス３に接続させれば、第２ハードディスク６をディジタルムービーの側面凹部に第１ハードディスク５に平行に直立させた状態で搭載させることが可能になる。さらに、このような状態のときに、図４（ｄ）に図示されるように、第１ハードディスク５のＵＳＢコネクタ４を第１ＵＳＢインターフェイス２から抜き、第２ハードディスク６のＵＳＢコネクタ４を９０度近く再回転させた状態にすれば、第２ハードディスク６がディジタルムービーの側面凹部全体を占有するように側面凹部に搭載させることができる。
【００７２】
このような構成にすれば、図１（ａ）、（ｂ）に図示されるように、ディジタルムービーの側面に、同時に稼動することがない第１ハードディスク５及び第２ハードディスク６を搭載させる凹部スペースを確保しておく必要がないため、ディジタルムービーをより小型軽量化することが可能になる。
【００７３】
続く、図５（ａ）乃至（ｄ）は、本発明によるディジタルデータ記録再生装置のさらに他の実施の形態に係わるもので、ディジタルデータ記録再生装置がディジタルムービーであって、その外観部分の要部構成を示す斜視図であり、前例と同様にハードディスクの搭載形態を選択することができるものである。
【００７４】
図５（ａ）乃至（ｄ）を用いてこの実施の形態に係わるディジタルムービーへのハードディスクの搭載形態について説明する。
【００７５】
図５に用いられる第１ハードディスク５、６は、装着されているＵＳＢコネクタ４が第１及び第２ハードディスク５、６に対して少なくとも９０度の範囲内を回転可能なように構成されており、また、ディジタルムービーの側面凹部に配置されている第１及び第２ＵＳＢインターフェイス２、３は、上下方向に並置されており、第１及び第２ハードディスク５、６が搭載されるディジタルムービーの側面凹部は、１個分のハードディスクが搭載できる程度の大きさになっている点は、いずれも前例と同じであるが、この例においては、第１ハードディスク５、６を搭載する際に、ＵＳＢコネクタ４を直接第１または第２ＵＳＢインターフェイス２、３に接続する代わりに、ＵＳＢケーブル２５によって接続するようにしたものである。
【００７６】
始めに、図５（ａ）に図示されるように、第１ハードディスク５だけをディジタルムービーの側面凹部に搭載しているときは、第１ハードディスク５がディジタルムービーの側面凹部全体を占有するように側面凹部に搭載される。このような状態にあったとき、図５（ｂ）に図示されるように、第１ハードディスク５の回転可能なＵＳＢコネクタ４を９０度近く回転させれば、第１ハードディスク５をディジタルムービーの側面凹部に直立させた状態で搭載させることが可能になる。このとき、下側の第２ＵＳＢインターフェイス３は露出した状態になる。
【００７７】
このような状態のときに、図５（ｃ）に図示されるように、第２ハードディスク６に接続したＵＳＢケーブル２５の接続端を第２ＵＳＢインターフェイス３に接続させれば、第２ハードディスク６をディジタルムービーの側面凹部から離れた状態で配置させることが可能になる。さらに、このような状態のときに、図５（ｄ）に図示されるように、第１ハードディスク５のＵＳＢコネクタ４を第１ＵＳＢインターフェイス２から抜き、第２ハードディスク６に接続したＵＳＢケーブル２５を外し、そのＵＳＢコネクタ４を第２ＵＳＢインターフェイス３に接続すれば、第２ハードディスク６がディジタルムービーの側面凹部全体を占有するように側面凹部に搭載させることができる。
【００７８】
なお、前記構成については、第２ハードディスク６をＵＳＢケーブル２５を介して第２ＵＳＢインターフェイス３に接続する旨の説明をしたが、第２ハードディスク６だけでなく、第１ハードディスク５もＵＳＢケーブル２５を介して第１ＵＳＢインターフェイス２に接続するようにしてもよい。
【００７９】
このような構成にすれば、前例と同様、図１（ａ）、（ｂ）に図示されるように、ディジタルムービーの側面に、同時に稼動することがない第１ハードディスク５及び第２ハードディスク６を搭載させる凹部スペースを確保しておく必要がないため、ディジタルムービーをより小型軽量化することが可能になり、しかも、ＵＳＢケーブル２５による第１または第２ＵＳＢインターフェイス２、３への接続を行っているので、ＵＳＢコネクタ４を第１または第２ＵＳＢインターフェイス２、３に接続する場合に比べて、第１または第２ハードディスク５、６を搭載することが楽であり、手ぶれの少ない状態で撮影を続行することが可能になる。
【００８０】
以上の実施の形態おいては、第１及び第２インターフェースがＵＳＢインターフェースであり、第１及び第２ディスク状記録媒体がハードディスクであり、ディジタル情報記録再生装置がディジタルムービーである例を挙げて説明した。
【００８１】
しかしながら、本発明による第１及び第２インターフェースは、ＵＳＢインターフェースに限られるものではなく、画像・音声を記録できる高速なインターフェースであって、ホットスワップが可能なインターフェースであれば、ＩＥＥＥ１３９４やコンパクトフラッシュ（登録商標）等の他のインターフェースを用いることが可能である。また、本発明による第１及び第２ディスク状記録媒体は、ハードディスクに限られるものではなく、画像・音声を記録でき、高速動作するものであれば、他のディスク状記録媒体を用いてもよい。さらに、本発明によるディジタル情報記録再生装置は、ディジタルムービーに限られるものではなく、ディジタルムービーと同等の機能を果たす装置であれば、他のディジタル情報記録再生装置であってもよい。
【図面の簡単な説明】
【００８２】
【図１】本発明によるディジタルデータ記録再生装置の実施の形態に係わるもので、その外観部分の要部構成を示す外観図である。
【図２】図１に図示されたディジタルムービーに使用されるハードディスク交換回路の一例であって、その要部構成を示すブロック図である。
【図３】図１に図示されたディジタルムービーに使用されるハードディスク交換回路の他の例であって、その要部構成を示すブロック図である。
【図４】本発明によるディジタルデータ記録再生装置の他の実施の形態に係わるもので、その外観部分の要部構成を示す斜視図であ
【図５】本発明によるディジタルデータ記録再生装置のさらに他の実施の形態に係わるもので、その外観部分の要部構成を示す斜視図である。
【符号の説明】
【００８３】
１  筐体
１ａ  撮像部
１ｂ  ファインダ部
２  第１ＵＳＢインターフェイス（第１ＵＳＢ）
３  第２ＵＳＢインターフェイス（第２ＵＳＢ）
４  ＵＳＢコネクタ
５  第１ハードディスク（第１ＨＤＤ）
６  第２ハードディスク（第２ＨＤＤ）
７  ホスト制御部（ＵＳＢホスト制御部）
８  インターフェース制御回路（ＵＳＢ制御回路）
９  制御用マイコン
１０  ＳＤＲＡＭ
１１  残ＬＢＡ量計算回路
１２  第１ハードディスク（第１ＨＤＤ）残容量記憶メモリ
１３  第２ハードディスク（第２ＨＤＤ）残容量記憶メモリ
１４  インターフェース（ＵＳＢ）切替回路
１５  第１インターフェース（第１ＵＳＢ）トランシーバ
１６  第２インターフェース（第２ＵＳＢ）トランシーバ
１７  シリアルインターフェース
１８  割込み／エンドポイントコントローラ
１９  フィフォ（ＦＩＦＯ）コントローラ
２０  フィフォ（ＦＩＦＯ）メモリ
２１  ＣＰＵ／バスインターフェース
２２  スイッチ
２３  シリアル−パラレル変換部
２４  制御回路
２５  ＵＳＢケーブル
【図１】
2007004929.tif 000003
【図２】
2007004929.tif 000004
【図３】
2007004929.tif 000005
【図４】
2007004929.tif 000006
【図５】
2007004929.tif 000007